(57)【要約】【課題】            簡単かつ使い捨てのできる安価な構成で確実に回りを汚す恐れがなくペットの糞を取ることができる上に、糞を取った後においては表面が汚水で濡れてくる心配がなく、洋服のポケットやポシェットにそのまま入れて持ち歩くことのできる、ペット用糞取り器を提供する。【解決手段】        互いに容器状を呈した底蓋体を上蓋体を連結手段を介して開成及び閉成嵌合可能に連結し、把手を兼ねる固定帯を前記底蓋体又は上蓋体のいずれか一方へ設けると共に、前記底蓋体と上蓋体の内側に吸湿シートを敷設させ、さらに前記底蓋体と前記上蓋体のいずれか一方或は双方の内側に消臭剤を設置する。【選択図】          図２
2006067882.tif 000002
【特許請求の範囲】
【請求項１】
互いに容器状を呈した底蓋体を上蓋体を連結手段を介して開成及び閉成嵌合可能に連結し、把手を兼ねる固定帯を前記底蓋体又は上蓋体のいずれか一方へ設けると共に、前記底蓋体と上蓋体の内側に吸湿シートを敷設させ、さらに前記底蓋体と前記上蓋体のいずれか一方或は双方の内側に消臭剤を設置したことを特徴とする、ペット用糞取り器。
【請求項２】
前記連結手段は、前記底蓋体と上蓋体の各側壁の一部を互いに共通させることによって構成すると共に、他の側壁の間を折り畳み可能に連結したことを特徴とする、請求項１に記載のペット用糞取り器。
【請求項３】
少なくとも前記底蓋体と上蓋体は、１枚の厚紙を折り畳むことによって構成したことを特徴とする、請求項１乃至２のいずれかに記載のペット用糞取り器。
【請求項４】
前記底蓋体と上蓋体を厚紙で構成した場合には、内側に防水フィルムを形成させることを特徴とする、請求項３に記載のペット用糞取り器。
【発明の詳細な説明】
【技術分野】
【０００１】
この発明は、犬や猫等を始めとするペット用糞取り器に関する。
【背景技術】
【０００２】
近年のペットブームと相まって犬をペットとして飼う人が多くなっている。これらの犬は散歩させることが必要であるが、その際に犬が排泄する糞の処理が、環境衛生の観点から従来より問題となっている。そのため飼い主は犬を散歩させる際に何らかの糞処理具を持参しているが、その多くのものは、ビニールやポリエチレン等の合成樹脂製の袋か或はこの合成樹脂製の袋とスコップの場合がほとんどである。合成樹脂製の袋の場合には、糞を取る際に袋の中へ手を入れて糞をつかんだ後に袋を反転させるもので、手に不快な感触を与えることを禁ずることができないという問題があり、合成樹脂製の袋とスコップを併用するものは、嵩張ることから散歩で持ち歩くには不便であるという問題があった。
【０００３】
そこで、容器状を呈した底蓋体と上蓋体とで構成され、手軽にポシェットへ入れて持ち歩くことができ、散歩等の途中で犬が糞をしたら、底蓋体と上蓋体を開いて糞の上に被せて両者を閉じながら糞をすくい取り、持ち運びができるようにした糞取り器が下記する特許文献１によって公知である。
【０００４】
【特許文献１】特開平９−１５４４３１号公開特許公報  上述した特許文献１に記載のものは、互いに開閉可能に連結した厚紙製で容器状の底蓋体と上蓋体とから成り、両者を閉じた時には底蓋体と上蓋体が互いに嵌合状態となるものである。使用時には底蓋体と上蓋体を開いて糞の上に被せ、底蓋体と上蓋体を閉じることによって糞をすくい取り、底蓋体と上蓋体の間に収納させて糞を処理するものであって、糞を取った後は固定手段によって底蓋体と上蓋体を固定して自然に開口しないように構成したものである。
【発明の開示】
【発明が解決しようとする課題】
【０００５】
上述した特許文献１に記載されたものは、糞を取る時に底蓋体と上蓋体を開いて上から糞に被せ、底蓋体と上蓋体を閉じて糞を挟んですくい取る構成であるため、糞と接触する底蓋体と上蓋体の縁が汚れる上に、場所と糞の性状によっては完全に糞を取り切れないという問題があった。
【０００６】
その上、糞を取った後は、これを手で持っていると両手が塞がってしまう上に、材料が紙製であると、時間の経過と共に底蓋体と上蓋体が汚水で濡れて来ることから、他の合成樹脂製の袋体の中へ入れなくてはならず、煩雑であるという問題があった。
【０００７】
この発明の目的は、簡単かつ使い捨てのできる安価な構成で確実に回りを汚す恐れがなくペットの糞を取ることができる上に、糞を取った後においては表面が汚水で濡れてくる心配がなく、洋服のポケットやポシェットにそのまま入れて持ち歩くことのできる、ペット用糞取り器を提供せんとするにある。
【課題を解決するための手段】
【０００８】
上述した目的を達成するために請求項１に係る発明は、互いに容器状を呈した底蓋体を上蓋体を連結手段を介して開成及び閉成嵌合可能に連結し、把手を兼ねる固定帯を前記底蓋体又は上蓋体のいずれか一方へ設けると共に、前記底蓋体と上蓋体の内側に吸湿シートを敷設させ、さらに前記底蓋体と前記上蓋体のいずれか一方或は双方の内側に消臭剤を設置したことを特徴とする。
【０００９】
請求項２に係る発明は、前記連結手段を、前記底蓋体と上蓋体の各側壁の一部を互いに共通させることによって構成すると共に、他の側壁の間を折り畳み可能に連結することを特徴とする。
【００１０】
請求項３に係る発明は、少なくとも前記底蓋体と上蓋体を、１枚の厚紙を折り畳むことによって構成することができる。
【００１１】
そして、請求項４に係る発明は、前記底蓋体と上蓋体を厚紙で構成した場合には、内側に防水フィルムを形成させることができる。
【発明の効果】
【００１２】
請求項１のように構成すると、吸湿シートが糞の汚水を吸収するので、厚紙製の底蓋体や上蓋体の表面が汚水で濡れて来ることを防止できる上に、嵌合部分から汚水が漏れ出て来るのを防止でき、かつ、消臭剤によって悪臭が外へ漏れて来るのを防止できるものである。
【００１３】
請求項２のように構成すると、糞より滲み出した汚水が連結手段の部分より外へ漏れ出して来るのを極めて効果的に防止することができるものである。
【００１４】
請求項３と４のように構成すると、安価に製造できて、底蓋体と上蓋体の表面が汚水で濡れて来て、そのままでは素手で掴めなかったり、悪臭が外へ漏れて来たりすることを有効に防止することが出来るものである。
【発明を実施するための最良の形態】
【００１５】
以下にこの発明の実施例を犬用のペット用糞取り器として説明するが、この発明に係る糞取り器は、犬以外の猫、その他のさまざまなペット用のものとして用いることができることは言うまでもない。
【実施例１】
【００１６】
図面は、この発明の一実施例を示し、図１乃至図３において、指示記号１で示したものがこの発明に係るペット用糞取り器であり、このペット用糞取り器１は、厚紙で構成され、互いに嵌合及び離脱可能に連結手段２を介して連結されたところの各々容器状に形成してなる底蓋体３及び上蓋体４と、この底蓋体３及び上蓋体４の内側に貼着して成る防水フィルム５と、この防水フィルム５の表面側に敷設して成る吸水シート６と、前記底蓋体３側と吸水シート６との間に収められた袋入りの消臭剤７と、前記上蓋体４の側に取り付けた同じく厚紙製のハンドル部を兼ねる固定帯８とで構成されている。
【００１７】
尚、底蓋体３と上蓋体４は、平面矩形状を呈し、四方を第１側壁３ａ，４ａ、第２側壁３ｂ，４ｂ及び第３、第４側壁３ｃ，４ｃ・３ｄ，４ｄから成る側壁で囲まれることによって、一つの容器状となるように構成したものであるが、後述するように平面矩形状のものに限定されない。
【００１８】
本願発明に係るペット用糞取り器１は、上述したように厚紙製であるが、この厚紙の中にはダンボール紙、板目紙、古紙再生厚紙、パルプモールド等、要するに内部に糞を入れて著しく変形しない強度を有するものが含まれる。
【００１９】
尚、材料としては厚紙以外に、スチロール、塩化ビニール、ポリエチレン、ポリプロピレン等の可撓性を有する合成樹脂材料を用いることができる。
【００２０】
底蓋体３と、上蓋体４の連結手段２は、互いの側壁の一側部分の第１側壁３ａ，４ａを共通にして、折れ線２ａ，２ｂを設けることにより構成されており、互いを屈曲及び展開可能に構成したもので、この連結手段２、しかして第１側壁３ａ，４ａと、第３・第４側壁３ｃ，４ｃ・３ｄ，４ｄは、内側へ折り畳み可能に構成した中折り部９ａ，９ｂを介して、第３、第４側壁３ｃ，４ｃ・３ｄ，４ｄと連結されており、底蓋体３と上蓋体４を互いに屈曲閉成し嵌合させた際に連結手段２の角部に隙間が生じないように工夫されると共に、使用時に底蓋体３と上蓋体４を展開した際に、当該底蓋体３と上蓋体４の連結部に側壁が壁立することなく、フラットになり、底蓋体３と上蓋体４が全体として一つの容器となるように工夫されている。
【００２１】
実施例のものは、閉成時に底蓋体３の各側壁である第２側壁３ｂ、第３、第４側壁３ｃ，３ｄの中に、上蓋体４がその各側壁である第２側壁４ｂ、第３、第４側壁４ｃ，４ｄを嵌入させる構成であるが、この逆に構成しても良い。
【００２２】
上蓋体４の側には、上述したように同じく厚紙製の可撓性を有する帯状を呈した固定帯８が設けられており、この固定帯８は自由端側に粘着テープ８ａが取り付けられている。尚、この粘着テープ８ａには、図示してないが剥離紙が取り付けられており、使用時にはこの剥離紙を剥ぎ取って底蓋体３の側に粘着テープ８ａを貼着して、底蓋体３と上蓋体４を互いに自然開成しないように固定させるものである。
【００２３】
この固定帯８は、また、同時にこの発明に係るペット用糞取り器１を使用する際に、後述するようにハンドル部を兼ねることになる。
【００２４】
防水フィルム５は、予め材料の厚紙にラッピングやコーティングした塩化ビニール、ポリエチレン等の合成樹脂製フィルムを用いることが好ましく、吸水シート６としては、具体的には、微細孔を有するウレタン等の樹脂の発泡体の他、織布、不織布、編物などの微細繊維よりなる布帛が吸水層として使用できる。吸水層に使用される繊維としては綿、麻、羊毛、絹糸等の天然繊維の他、レーヨン、アセテート等の半合成繊維、ポリエステル、ナイロン、アクリル、アラミド、ポリイミド、ポリ乳酸系繊維、炭素繊維、フェノール繊維等の合成繊維の１種または複数を組み合わせて使用することが可能であり、使用する繊維の機能により高強度、高摩耗性、難燃性、易リサイクル性、生分解性等の機能を当該吸水シートに付与することもできる。これらのものを、そのまま適宜大きさに切断して用いるか、或は疎水性繊維、例えばポリエステル、アクリルナイロン製の合成繊維でサンドイッチ加工したり袋入りとしたものを用いる。この吸水シートは少なくともその一部を底蓋体３及び又は上蓋体４に貼着することが望ましい。
【００２５】
また、消臭剤７としては、実施例のものは袋入りの活性炭であるが、このものに限定されず、セルロース繊維、キトサン、フタロシアニン等々、公知のさまざまな消臭剤を用いることができ、これらのものを直に吸水シート５と底蓋体３或は上蓋体４との間に封入するか、或は袋入りにして吸水シート５と底蓋体３或は上蓋体４との間に収納させるものである。
【００２６】
次に、上述したこの発明に係るペット用糞取り器１の使用例について説明する。犬を散歩に連れて行く際には、専用のポシェット或は着衣のポケットの中へ底蓋体３と上蓋体４を閉じて固定帯８で止めた状態のペット用の糞取り器１を入れて持参する。散歩中に犬が糞をしそうになったら取り出して固定帯８を外して底蓋体３と上蓋体４を開き、固定帯８をハンドルとして使用して、図４に示したように、犬Ａの尻の後方より滑らせて尻の下へ移動させてやる。この状態で犬が糞をすると、糞は底蓋体３の中へ落下するので、これを該底蓋体３で受け取り、糞をし終わったら上蓋体４を底蓋体３に対して閉じて両者を嵌合させた後、固定帯８を回してその先端の粘着テープ８ａの部分を底蓋体３へ貼着させると、糞はペット用糞取り器１の内へ収用される。後はこのペット用糞取り器１をポシェットや着衣のポケットへ入れて家へ持ち帰り、そのまま廃棄するものである。尚、糞は底蓋体３から上蓋体４の方へも落下する場合もあるが、開成展開した底蓋体３と上蓋体４との間には両者を仕切る側壁が存在しないので、とくに問題となることはない。
【００２７】
ペット用糞取り器１内へ収用された糞の水分は、吸水シート６によって吸い取られることにより、汚水が外部へ漏れ出てくることを防止できる上に、吸水シート６で吸水しきれない汚水が吸水シートから滲み出そうとしても防水フィルムで外へ滲み出ることが防止される。さらに、上述したように糞から滲み出した汚水が連結手段２を構成する底蓋体３と上蓋体４の互いに共通にする第１側壁３ａ，４ａが中折り部９ａ，９ｂによって、側壁３ｃ，４ｃ・３ｄ，４ｄと連結されているので、隙間が生じないことから、この部分より外へ漏れて来ることを防止することができる。そして、ペット用糞取り器１用の糞の異臭は、消臭剤７によって消臭がなされることになる。
【実施例２】
【００２８】
図５乃至図６は、他の実施例を示す。この実施例に係るペット用糞取り器１０は、図面によれば、底蓋体１１と上蓋体１２が平面半円形状を呈していることを除けば、側壁の一部を共通にさせて折れ線１４ａ，１４ｂを設けることにより連結手段１４とした点を含めて、他の構成は実施例１のものと同じである。尚、指示記号１１ａ，１２ａは底蓋体１１と上蓋体１２とに共通にする側壁であり、折れ線１４ａ，１４ｂを介して上述した連結手段１４を構成している。さらに、指示記号１１ｂと１２ｂは弓状の側壁、１３ａ，１３ｂは中折り部、さらに、指示記号１５はハンドルを兼ねる固定帯、１５ａは粘着テープである。そして、指示記号１６は消臭剤、１７は吸水シート、１８は防水フィルムである。この防水フィルムは、器を合成樹脂製成型品にするなど、水不透過性材質のもので作った場合には不要である。
【００２９】
このように構成してもこの発明の目的は達成でき、外観上ソフトな印象を見る人に与えることができるという利点を有する。
【実施例３】
【００３０】
以上の実施例１と２のものは、いずれも厚紙製或は上述したその他の材料であり、容器状に形成するに当っては、各側壁を折り曲げて各隣接端部同士を接着したり、折り込んだり、或は成形したりすることができるが、これを図７乃至図９に示したように一枚の厚紙を折り畳んで構成することもできる。
【００３１】
図面によれば、この実施例３に係るペット用糞取り器２０は、まず、底蓋体２１の構成において、平面矩形状を呈した底板２２と、この底板２２の一側部より折れ線２３ａによって折り曲げ展開可能に設けられた連結手段２４を兼ねる第１側壁２３と、この第１側壁２３と離間対向させて底板２２より折り曲げて立ち上げて形成させた第２側壁２５と、この第２側壁２５と第１側壁２３との各両端部とを結んで離間対向させて底板２１より折り曲げて立ち上げて形成させた第３側壁２６及び第４側壁２７と、第２側壁２５の上端縁より折り返し部２８ａを介して折り返して、底板２２の下側に回り込ませた補強板２８とから構成されている。
【００３２】
そして、第１側壁２３及び第２側壁２５と第３側壁２６及び第４側壁２７との各接合部には、折り畳み部２９ａ，２９ｂ・３０ａ，３０ｂが設けられると共に、第３側壁２６と第４側壁２７も、その上端縁より折り返した折り返し部２６ａ，２７ａを有しており、この各折り返し部２６ａ，２７ａの各一端からは、折り畳み部３０ａ，３０ｂと一緒に折り畳まれて、第２側壁２５と折返し部２８ａとの間に差し込まれて、当該第２側壁２５を補強する補強部材２６ｂ，２７ｂが折り曲げ可能に設けられている。
【００３３】
さらに、補強板２８の折り畳み方向と直交する側の両端部には、第３側壁３６と第４側壁２７とその各折り返し部２６ａ，２７ａとの間に差し込まれる補強部材２８ｂ，２８ｃが折り曲げ可能に設けられている。尚、各折り返し部２６ａ，２７ａと、補強部材２６ｂ，２７ｂ、補強板２８、及び補強部材２８ｂ，２８ｃは、それぞれ図示してない接着剤によって、他の部材へ接着されていることが望ましい。
【００３４】
したがって、第３側壁２６と第４側壁２７の各折り返し部２６ａ，２７ａより突設した補強部材２６ｂ，２７ｂを、各折り畳み部３０ａ，３０ｂと共に第２側壁２５の外側へ折り曲げて該第２側壁２５と折り返し部２８ａとの間へ差し込み、補強板２８を底板２２の下側へ折り込んで、各補強部材２６ｂ，２７ｂと第３側壁２６と第４側壁２７と各折り返し部２６ａ，２７ａとの間に差し込んでやると、底蓋体２１が形成される。
【００３５】
他方、上蓋体３１は、底蓋体２１の第１側壁２３を同時に第１側壁３２として上述した連結手段２４を構成するとすると共に、この第１側壁３２より折れ線３３ａを介して連設したところの平面矩形状を呈した上板３３と、この上板３３の第１側壁３２と対向する側に折り曲げて立ち上げ、さらに内側へ折り返して成る折り返し部３４ａを有する第２側壁３４と、この第２側壁３４と折り返し部３４ａに切り込みを入れて上板３３より延設して成るハンドルを兼ねる固定帯３５と、第２側壁３４の両端部より折り畳み部３９ａ，３９ｂを介して折り曲げて上板３３より立ち上げられた第３側壁３６及び第４側壁３７と、第３側壁３６及び第４側壁３７の上端縁より内側へ折り返して設けた折り返し部３６ａ，３７ａの各一端部より延設して設けた上板３３の補強板３８ａ，３８ｂとから成り、この補強板３８ａ，３８ｂにはさらに、第２側壁３４を補強する補強部材３８ｃ，３８ｄが設けられている。尚、固定帯３５には、その自由端に粘着テープ３５ａが取り付けられている。
【００３６】
したがって、第３側壁３６と第４側壁３７の各折り返し部３６ａ，３７ａを内側へ折り返し、各補強板３８ａ，３８ｂを上板３３に重ね合わせ、各補強部材３８ｃ，３８ｄを重ね合わせて第２側壁３４と折り返し部３４ａの間へ差し込むと、図８に示したように、上蓋体３１が形成される。
【００３７】
この実施例３に係るペット用糞取り器２０の使用例は、実施例１に説明したペット用糞取り器１と同じであるので説明を省略する。尚、各折り返し部３４ａ，３６ａ，３７ａや補強板３８ａ，３８ｂ、及び補強部材３８ｃ，３８ｄ等は図示してない接着剤によって、他の部材へ接着されることが望ましい。
【図面の簡単な説明】
【００３８】
【図１】この発明に係るペット用糞取り器を底蓋体の側から見た斜視図である。
【図２】図１に示したペット用糞取り器を開いて見た状態の斜視図である。
【図３】図２の状態の側断面図である。
【図４】図１に示したペット用糞取り器の使用例を示す説明図である。
【図５】この発明に係るペット用糞取り器の他の実施例を示す底蓋体の側から見た斜視図である。
【図６】図５に示したペット用糞取り器を開いて見た状態の斜視図である。
【図７】この発明に係るペット用糞取り器のさらに他の実施例を示す斜視図である。
【図８】図７に示したペット用糞取り器の組み立て途中の状態を示す斜視図である。
【図９】図７と図８に示したペット用糞取り器の展開斜視図である。
【符号の説明】
【００３９】
Ａ  犬
１  ペット用糞取り器
２  連結手段
３  底蓋体
４  上蓋体
５  防水フィルム
６  吸水シート
７  消臭剤
８  固定帯
１０  ペット用糞取り器
１１  底蓋体
１２  上蓋体
１４  連結手段
１５  固定帯
２０  ペット用糞取り器
２１  底蓋体
３１  上蓋体
３５  固定帯
【図１】
2006067882.tif 000003
【図２】
2006067882.tif 000004
【図３】
2006067882.tif 000005
【図４】
2006067882.tif 000006
【図５】
2006067882.tif 000007
【図６】
2006067882.tif 000008
【図７】
2006067882.tif 000009
【図８】
2006067882.tif 000010
【図９】
2006067882.tif 000011